(57)【要約】【課題】親局装置と子局装置が電話回線を介して接続される遠方監視制御システムにおいて、間違い電話等で受信したデータを確実に破棄することを可能とし、監視制御対象設備又は監視制御端末への誤データ出力防止を可能にする。【解決手段】親局装置と子局装置間のデータ伝送を行う際、送信データに自局及び通信相手局の電話番号を付加して伝送し、データ受信側で受信データの自局及び通信相手局の電話番号と予め記憶装置部内に記憶されている自局及び通信相手局の電話番号を比較し、一致した時のみ受信データの処理を行うことで達成される。【選択図】　図１
2004048403.tif 000002
【特許請求の範囲】
【請求項１】
監視制御対象機器への制御データの送信を行う親局装置と、前記制御データの受信を行う子局装置とを有する遠方監視制御システムにおいて、前記親局装置は自局及び前記子局装置の電話番号を記憶する親局装置記憶手段と、前記制御データに前記記憶している自局及び子局装置の電話番号を付加する手段と、前記電話番号を付加された前記制御データである送信データを送信する送信手段を有し、前記子局装置は前記送信データを受信する受信手段と、自局及び前記親局装置の電話番号を記憶する子局装置記憶手段と、前記送信データの電話番号と前記子局装置記憶手段の電話番号を比較し一致した場合は受信データ処理を行う受信データ処理手段とを有することを特徴とする遠方監視制御システム。
【請求項２】
請求項１に記載の遠方監視制御システムにおいて、前記親局装置は前記親局装置記憶手段に前記子局装置を識別する子局識別子を含むものからなり、前記制御データに前記記憶している子局識別子を付加する手段を有し、前記送信手段は前記親局装置記憶手段の電話番号及び子局識別子を付加された前記制御データである送信データを送信するものからなり、前記子局装置は前記子局装置記憶手段に自己を識別する自局識別子を含むものからなり、前記受信データ処理手段は前記送信データの子局識別子と前記自局識別子を比較し一致した場合は受信データ処理を行う機能を有することを特徴とする遠方監視制御システム。
【請求項３】
監視制御対象機器の監視データの送信を行う子局装置と、前記監視データの受信を行う親局装置とを有する遠方監視制御システムにおいて、前記子局装置は自局及び前記親局装置の電話番号を記憶する子局装置記憶手段と、前記監視データに前記記憶している自局及び親局装置の電話番号を付加する手段と、前記電話番号を付加された前記監視データである送信データを送信する送信手段を有し、前記親局装置は前記送信データを受信する受信手段と、自局及び前記子局装置の電話番号を記憶する親局装置記憶手段と、前記送信データの電話番号と前記親局装置記憶手段の電話番号を比較し一致した場合は受信データ処理を行う受信データ処理手段とを有することを特徴とする遠方監視制御システム。
【請求項４】
請求項３に記載の遠方監視制御システムにおいて、前記子局装置は前記子局装置記憶手段に前記親局装置を識別する親局識別子を含むものからなり、前記監視データに前記記憶している親局識別子を付加する手段を有し、前記送信手段は前記子局装置記憶手段の電話番号及び親局識別子を付加された前記監視データである送信データを送信するものからなり、前記親局装置は前記親局装置記憶手段に自己を識別する自局識別子を含むものからなり、前記受信データ処理手段は前記送信データの親局識別子と前記自局識別子を比較し一致した場合は受信データ処理を行う機能を有することを特徴とする遠方監視制御システム。
【請求項５】
監視制御対象機器の監視データの受信及び制御データの送信を行う親局装置と前記監視データの送信及び制御データの受信を行う子局装置との間で通信を行う遠方監視制御システムの通信方法において、前記親局又は子局装置の送信側装置は前記送信される監視又は制御データに自局及び受信側装置の電話番号を付加し、前記電話番号データを付加された前記監視又は制御データである送信データを送信し、前記受信側装置は前記送信データを受信し、受信した前記送信データの電話番号と記憶している自局及び送信側装置の電話番号を比較し、一致した場合は受信データ処理を行うことを特徴とする遠方監視制御システムの通信方法。
【請求項６】
監視制御対象機器の監視データの受信及び制御データの送信を行う親局装置と前記監視データの送信及び制御データの受信を行う子局装置との間で通信を行う遠方監視制御システムの通信方法において、前記親局又は子局装置の送信側装置は前記送信される監視又は制御データに自局及び受信側装置の電話番号並びに受信側装置を識別する受信側装置識別子を付加し、前記電話番号及び受信側装置識別子を付加された前記監視又は制御データである送信データを送信し、前記受信側装置は前記送信データを受信し、受信した前記送信データの電話番号及び受信側装置識別子と記憶している自局及び送信側装置の電話番号並びに自己を識別する自局識別子を比較し、一致した場合は受信データ処理を行うことを特徴とする遠方監視制御システムの通信方法。
【発明の詳細な説明】
【０００１】
【発明の属する技術分野】
本発明は、遠方監視制御装置親局（以下、親局装置と称す）と遠方監視制御装置子局（以下、子局装置と称す）が伝送路として電話回線を使用し接続される遠方監視制御システムにおいて、間違い電話等で受信したデータを確実に破棄することが出来る遠方監視制御システムに関する。
【０００２】
【従来の技術】
従来、遠方監視制御システムは、監視制御対象機器に対する制御操作を行った際の応答性の問題から親局装置と子局装置の伝送路は、専用線が使用される。
【０００３】
しかし、小規模な設備では、システム維持における回線使用料を安く済ませることが出来る電話回線を使用するシステムが増えてきている。この電話回線を使用してデータの授受を行う際、一般的には、親局装置及び子局装置内にネットワークコントローラ（以下、ＮＣＵと称す）を設置し、ＮＣＵを介して公衆回線に接続し、送信側装置は、装置内のＮＣＵに対しダイヤルアップ指示を出し、ＮＣＵによる相手局との接続完了報告を受け、データの送信を開始する。受信側の装置は、装置内のＮＣＵから着信有の報告を受け、データ受信動作を開始する。この時、送信側装置から送られてくるデータには、相手局番号が付加されおり、受信側装置がデータを受信した際、受信データ内の相手局番号と受信側装置に登録されている番号とを比較し、一致した時のみデータ処理を行う方法を取っている。また、特開昭５５−１１２０７０号に示されるように電話端末において受信した電話番号表示信号を復調後、記憶してある相手局電話番号と比較し一致した時のみ受信データを処理する方法がとられている。さらに、特開２０００−２１６９００号においては、センタ側から端末側を呼び出す時、通信事業者が提供する発信電話番号表示サービスによるセンタ側電話番号情報を受信し、予め設定した番号データと比較して一致した場合のみセンタ側と端末側の自動通報装置とのデータ伝送を有効にしている。この他に電話回線を使用した通信を行う通信方法として近年普及してきたインターネットを使用して行う方法があるが、通信維持費が前記
ＮＣＵを用いた方法より高くなること及び誰でもシステムへのアクセスが可能であるためウイルスを含んだデータ等の排除等のシステムの安全性及びセキュリティの面において信頼性確保が難しいため採用されていない。
【０００４】
【発明が解決しようとする課題】
受信側装置が子局装置であった場合、機器の制御データを誤って受信し、誤出力する、また、受信側装置が親局装置であった場合、誤った機器の状態表示データを表示し、誤った設備運用がなされるという欠点があった。
【０００５】
本発明の目的は、親局装置と子局装置が電話回線を介して接続される遠方監視制御システムにおいて、間違い電話で受信したデータを確実に破棄することを可能とし信頼性の高い遠方監視制御装置を提供することにある。
【０００６】
【課題を解決するための手段】
上記目的を達成するため、電話会社全体で番号を管理している電話番号を遠方監視制御装置の自局及び相手局識別データとして使用することで前記問題点を解決する。
【０００７】
【発明の実施の形態】
以下、本発明の実施例を図１，図２，図３により説明する。
【０００８】
図１に示すように、遠方監視制御システムは、親局装置に管理操作を行う監視制御端末８と、遠方監視制御システムの中央指令設備に設置される親局装置１と、地方に点在する複数の監視制御対象機器２１設備に設置される子局装置１１が公衆回線を介して通信を行う。
【０００９】
親局装置１は、遠方に位置する監視制御対象機器２１の状態及び計測値データを監視制御端末８に出力するとともに監視制御端末８から出力される制御データを入力する親局装置ＬＡＮ制御部７と子局装置１１とのデータ通信制御を行うと同時に親局装置中央演算部３の送受信データ処理部から転送されてくる送信データに自局電話番号及び相手局電話番号を付加する機能を有する親局装置伝送制御部５と公衆回線の交換機との接続動作を行う親局装置ＮＣＵ部６と自局電話番号及び相手局電話番号及び親局装置中央演算部３のデータを記憶する親局装置記憶装置部４と装置内のデータ処理を行うデータ演算部、子局との送受信データの処理を行う送受信データ処理部を有する親局装置中央演算部３と親局装置内回路に電源供給する親局装置電源装置２で構成される。
【００１０】
子局装置１１は、公衆回線の交換機との接続動作を行う子局装置ＮＣＵ部１６と親局装置１とのデータ通信を行うと同時に受信データに含まれる自局電話番号及び相手局電話番号を抜出し受信したデータが当該子局宛のデータかをチェックし、当該子局宛データではないと判定した場合、受信データを破棄する機能を有する子局装置伝送制御部１５と子局装置中央演算部１３のデータを記憶する子局装置記憶装置部１４と装置内のデータ処理を行うデータ演算部，親局装置との送受信データを処理する送受信データ処理部を有する子局装置中央演算部１３と監視制御対象機器２１の状態表示データを入力する状態表示データ入力部２０と監視制御対象機器２１の計測データを入力するアナログデータ入力部１９と監視制御対象機器２１への制御出力を行う制御データ出力部１７と監視制御対象機器
２１へのアナログデータを出力するアナログデータ出力部１８と子局装置内回路に電源供給する子局装置電源装置１２で構成される。
【００１１】
動作例として、親局装置１から子局装置１１へのデータ送信動作について以下説明する。
【００１２】
監視制御端末８から監視制御対象機器２１に対して制御指令を送る場合、制御データが、監視制御端末８から親局装置ＬＡＮ制御部７を介して親局装置記憶装置部４に転送される。制御データが親局装置記憶装置部４に格納されると親局装置中央演算部３の送受信データ処理部において、図３の伝送フレーム構成図の情報データ部のデータ構成に合せてデータ編集を行い、親局装置伝送制御部５にデータ転送する。親局装置伝送制御部５の動作フローを図２（ａ）に示す。親局装置伝送制御部５は、予め親局装置記憶装置部４に記憶された電話番号を読出し
（３１）、自局電話番号データとして親局装置１の電話番号を、相手局電話番号に送信先子局の電話番号を情報データ部に付加（３２）した後、親局装置ＮＣＵ部６に対しダイヤリング指令を出し（３３）、親局装置ＮＣＵ部６からの送信許可連絡を待つ（３４）。親局装置ＮＣＵ部６は、ダイヤリング指令により公衆回線交換機に対し接続動作を行い、該当子局装置１１との回線接続を確認すると、親局装置伝送制御部５に対し送信許可を報告する。送信許可報告を受けた親局装置伝送制御部５は、図３に示す伝送フレーム構成の一実施例に従いデータを送信する（３５，３６）。
【００１３】
公衆回線交換機から呼び出しを行われた該当子局装置１１の子局装置ＮＣＵ部１６は、子局装置伝送制御部１５に対し着信有報告を行う。子局装置伝送制御部１５の動作フローを図２（ｂ）に示す。子局装置ＮＣＵ部１６から着信有報告を受けた（４１）子局装置伝送制御部１５は、親局装置１からの送信データを待つ。子局装置伝送制御部１５がデータを受信する（４２）と受信データから送信側電話番号を示す自局電話番号と受信側電話番号を示す相手局電話番号を抽出し
（４３）、予め子局装置記憶装置部１４に記憶している子局装置１１の電話番号と抽出した相手局電話番号とを比較、及び予め子局装置記憶装置部１４に記憶している親局装置の電話番号と抽出した自局電話番号データとを比較し（４４）、一致すれば（４５）、受信データを子局装置記憶装置部１４に格納し（４６）、子局装置中央演算部１３の送受信データ処理部を起動する（４７）。起動された送受信データ処理部は、受信データを読出し、制御データ出力部１７から対象機器に対し制御データを出力する。相手局電話番号及び自局電話番号の比較結果が不一致の場合は、受信データを破棄し（４８）、処理を終了する。
【００１４】
子局装置１１から親局装置１へのデータ送信動作についても上記と同じ様な手順となる。監視制御対象機器２１から監視制御端末８に対して監視データを送る場合、監視データが監視制御対象機器２１からアナログデータ入力部１９を介して子局装置記憶装置部１４に転送される。子局から親局への監視データの送信については親局から子局への制御データ送信の説明の中での中央演算部，記憶装置部，伝送制御部，ＮＣＵ部それぞれが対応し同じである。監視データの受信処理において、相手局電話番号及び自局電話番号の比較結果が一致すれば、受信データを親局装置記憶装置部４に格納し、親局装置中央演算部３の送受信データ処理部を起動する。起動された送受信データ処理部は、受信データを読出し、ＬＡＮ制御部７から監視制御端末８に対し監視データを出力する。相手局電話番号及び自局電話番号の比較結果が不一致の場合は、受信データを破棄し、処理を終了する。
【００１５】
伝送フレーム構成の一実施例を示す図３は、送信側の電話番号を示す自局電話番号と、受信側の電話番号を示す相手局電話番号と情報データ部からなる。情報データ部は制御データや状態変化表示データ等の情報データである情報種別毎データと、伝送データ番号（連続番号）を示す通番と、情報種別毎データの種別を示すデータ種別と、通信相手である受信局に割り当てられ他の受信局と識別する為の識別子である局Ｎｏ．と、情報データ部の全バイト数を示すフレーム長などからなる。局Ｎｏ．は設備の管理地域毎に受信データが当該受信局に対して送信されたデータであることを確認する為に、一般的に「１」から順番に番号付けされ管理されている。
【００１６】
以上の様に、公衆回線を使用してデータ伝送を行う遠方監視制御装置において、親局装置から子局装置へ送信する際には、間違い電話等で誤って送られてきたデータを破棄して監視制御対象設備又は監視制御端末への誤データ出力防止を可能にすることができ、子局装置から親局装置へ送信する際には、誤った機器の状態表示データを表示し、誤った設備運用を回避できる。
【００１７】
【発明の効果】
本発明によれば、公衆回線を使用してデータ伝送を行う遠方監視制御装置において、間違い電話等で誤って送られてきたデータを破棄することができる。
【図面の簡単な説明】
【図１】本発明の実施例の遠方監視制御システム構成を示す図。
【図２】本発明の伝送制御部の動作フローを示す図。
【図３】本発明の伝送データのフレーム構成を示す図。
【符号の説明】
１…親局装置、２…親局装置電源装置、３…親局装置中央演算部、４…親局装置記憶装置部、５…親局装置伝送制御部、６…親局装置ＮＣＵ部、７…親局装置ＬＡＮ制御部、８…監視制御端末、１１…子局装置、１２…子局装置電源装置、１３…子局装置中央演算部、１４…子局装置記憶装置部、１５…子局装置伝送制御部、１６…子局装置ＮＣＵ部、１７…制御データ出力部、１８…アナログデータ出力部、１９…アナログデータ入力部、２０…状態表示データ入力部、２１…監視制御対象機器。
【図１】
2004048403.tif 000003
【図２】
2004048403.tif 000004
【図３】
2004048403.tif 000005